(57)【要約】      【課題】  その相関を容易に把握させる為に一度に多くのコンテンツを表示させる場合であっても、ユーザに選択されるべきコンテンツを高い視認性で見せる。      【解決手段】  ループの軌道上に複数のコンテンツを配列し、軌道メニューとして表示する軌道メニュー表示ステップと、該軌道メニューを切り替える為の信号を検知する第一の信号検知ステップと、該信号を検知したとき、該軌道上の所定位置にあるコンテンツ及びその周辺にある少なくとも一つのコンテンツを抽出する抽出ステップと、抽出された各コンテンツを該軌道メニューとの相関を維持するように配列し、抽出メニューとして表示する抽出メニュー表示ステップとを含むメニュー表示方法を提供する。【選択図】      図２
2006260265.tif 000002
【特許請求の範囲】
【請求項１】
複数のコンテンツを含むメニューを表示する為のメニュー表示方法において、
ループの軌道上に複数のコンテンツを配列し、軌道メニューとして表示する軌道メニュー表示ステップと、
該軌道メニューを切り替える為の信号を検知する第一の信号検知ステップと、
該信号を検知したとき、該軌道上の所定位置にあるコンテンツ及びその周辺にある少なくとも一つのコンテンツを抽出する抽出ステップと、
抽出された各コンテンツを該軌道メニューとの相関を維持するように配列し、抽出メニューとして表示する抽出メニュー表示ステップと、を含むメニュー表示方法。
【請求項２】
該軌道上のコンテンツのいずれか一つを選択する選択ステップを更に含み、
選択されたコンテンツが該所定位置に位置するよう、該軌道上の全コンテンツをその配列順序を維持した状態で移動させる、請求項１に記載のメニュー表示方法。
【請求項３】
該抽出メニューに切り替えたとき、該所定位置にあったコンテンツを最も大きく表示させる、請求項１又は請求項２のいずれかに記載のメニュー表示方法。
【請求項４】
該抽出メニューを切り替える為の信号を検知する第二の信号検知ステップを更に含み、
該信号を検知したとき、全コンテンツを、その相関を維持した状態で該軌道メニューとして表示する、請求項１から請求項３のいずれかに記載のメニュー表示方法。
【請求項５】
該軌道メニューに切り替えたとき、該抽出メニューで最も大きく表示されていたコンテンツを該所定位置に配置する、請求項４に記載のメニュー表示方法。
【請求項６】
前記軌道メニュー表示ステップにおいて、該軌道を仮想三次元空間内で三次元的に表示させる、請求項１から請求項５のいずれかに記載のメニュー表示方法。
【請求項７】
前記軌道メニュー表示ステップにおいて、該軌道を仮想二次元空間内で二次元的に表示させる、請求項１から請求項５のいずれかに記載のメニュー表示方法。
【請求項８】
該ループの軌道が円軌道である、請求項１から請求項７のいずれかに記載のメニュー表示方法。
【請求項９】
該軌道メニューをジャンル毎に分けて表示する、請求項１から請求項８のいずれかに記載のメニュー表示方法。
【請求項１０】
各ジャンルを色で区分して表示する、請求項９に記載のメニュー表示方法。
【請求項１１】
複数のコンテンツを含むメニューを表示する為のメニュー表示プログラムにおいて、
ループの軌道上に複数のコンテンツを配列し、軌道メニューとして表示させ、
該軌道メニューを切り替える為の信号の入力に応じて、該軌道上の所定位置にあるコンテンツ及びその周辺にある少なくとも一つのコンテンツを抽出し、
抽出された各コンテンツを該軌道メニューとの相関を維持するように配列し、抽出メニューとして表示させる、メニュー表示プログラム。
【請求項１２】
該軌道上のコンテンツのいずれか一つを選択したことを示す信号の入力に応じて、選択されたコンテンツが該所定位置に位置するよう、該軌道上の全コンテンツをその配列順序を維持した状態で移動させる、請求項１１に記載のメニュー表示プログラム。
【請求項１３】
該抽出メニューに切り替えたとき、該所定位置にあったコンテンツを最も大きく表示させる、請求項１１又は請求項１２のいずれかに記載のメニュー表示プログラム。
【請求項１４】
該抽出メニューを切り替える為の信号の入力に応じて、全コンテンツを、その相関を維持した状態で該軌道メニューとして表示させる、請求項１１から請求項１３のいずれかに記載のメニュー表示プログラム。
【請求項１５】
該軌道メニューに切り替えたとき、該抽出メニューで最も大きく表示されていたコンテンツを該所定位置に配置する、請求項１４に記載のメニュー表示プログラム。
【請求項１６】
該軌道を仮想三次元空間内で三次元的に表示させる、請求項１１から請求項１５のいずれかに記載のメニュー表示プログラム。
【請求項１７】
該軌道を仮想二次元空間内で二次元的に表示させる、請求項１１から請求項１５のいずれかに記載のメニュー表示プログラム。
【請求項１８】
複数のコンテンツを含むメニューを表示する為のメニュー表示装置において、
ループの軌道上に複数のコンテンツを配列し、軌道メニューとして表示する軌道メニュー表示手段と、
メニューを操作する為の操作手段と、
前記操作手段の操作による、該軌道メニューを切り替える為の信号を検知する第一の信号検知手段と、
該信号を検知したとき、該軌道上の所定位置にあるコンテンツ及びその周辺にある少なくとも一つのコンテンツを抽出する抽出手段と、
抽出された各コンテンツを該軌道メニューとの相関を維持するように配列し、抽出メニューとして表示する抽出メニュー表示手段と、を備えたこと、を特徴とするメニュー表示装置。
【請求項１９】
前記操作手段の操作によって該軌道上のコンテンツのいずれか一つが選択されたとき、前記軌道メニュー表示手段が、該軌道上の全コンテンツがその配列順序を維持した状態で移動して、選択されたコンテンツが該所定位置に位置するよう描画処理すること、を特徴する請求項１８に記載のメニュー表示装置。
【請求項２０】
該抽出メニューに切り替えたとき、前記抽出メニュー表示手段が、該所定位置にあったコンテンツを最も大きく表示させるよう描画処理すること、を特徴する請求項１８又は請求項１９のいずれかに記載のメニュー表示装置。
【請求項２１】
前記操作手段の操作による、該抽出メニューを切り替える為の信号を検知する第二の信号検知手段を更に備え、
該信号を検知したとき、前記軌道メニュー表示手段が、全コンテンツを、その相関を維持した状態で該軌道メニューとして描画すること、を特徴する請求項１８から請求項２０のいずれかに記載のメニュー表示装置。
【請求項２２】
該軌道メニューに切り替えたとき、前記軌道メニュー表示手段が、該抽出メニューで最も大きく表示されていたコンテンツを該所定位置に位置させるよう描画処理すること、を特徴する請求項２１に記載のメニュー表示装置。
【請求項２３】
前記軌道メニュー表示手段が、該軌道を仮想三次元空間内で三次元的に表示させる、請求項１８から請求項２２のいずれかに記載のメニュー表示装置。
【請求項２４】
前記軌道メニュー表示手段が、該軌道を仮想二次元空間内で二次元的に表示させる、請求項１８から請求項２２のいずれかに記載のメニュー表示装置。
【発明の詳細な説明】
【技術分野】
【０００１】
この発明は、複数のコンテンツを含むメニューを表示する為のメニュー表示方法、メニュー表示プログラム、及び、メニュー表示装置に関する。
【背景技術】
【０００２】
電子機器や情報端末装置には多くの機能が備えられており、その表示部には複数のコンテンツが例えばマトリクス状の配列で表示される。しかしながらこれらの機器や装置の中にはその画面サイズが比較的小さいものもある（例えば携帯電話やＰＤＡ（Personal Digital Assistance）、又はカーナビゲーション等）為、マトリクス状すなわち二次元的な配列の場合、画面に表示可能なコンテンツ数が限られてしまい、一度に多くのコンテンツを表示することができない。
【０００３】
上記問題を解決する為に、複数のコンテンツを含むメニューを三次元的な配置で表示するものが種々提案され広く知られている（例えば特許文献１及び２）。このような配置でメニューを表示させると一度に多くのコンテンツをその画面中に表示でき、ユーザは、各コンテンツの相関を容易に把握することができる。
【特許文献１】特開２００３−３３０５８６号公報
【特許文献２】特開２００４−２２７３９３号公報
【発明の開示】
【発明が解決しようとする課題】
【０００４】
しかしながら上記特許文献１に示されたような表示制御装置では、全てのコンテンツ（或いは現在の階層で表示すべきコンテンツ）を一画面中に表示できない。ここで、例えば表示可能なコンテンツ数を増加させて全てのコンテンツを同時に表示できるようにすると、ユーザに選択されるべきコンテンツそのものの表示サイズが小さくなる。この為、その視認性が低下して使用し難いものとなってしまう。
【０００５】
また、上記特許文献２に示されたような装置では、コンテンツが比較的少ない為、その全てを一画面中に表示でき且つユーザに選択されるべきコンテンツの表示サイズも比較的大きくすることができる。しかしながらコンテンツ数を増加させた場合、上記特許文献１と同様に、コンテンツの表示サイズが小さくなり、その視認性が低下して使用し難いものとなってしまう。
【０００６】
そこで、本発明は上記の事情に鑑み、その相関を容易に把握させる為に一度に多くのコンテンツを表示させる場合であっても、ユーザに選択されるべきコンテンツを高い視認性で見せることができるメニュー表示方法、メニュー表示プログラム、及び、メニュー表示装置を提供することを目的とする。
【課題を解決するための手段】
【０００７】
上記の課題を解決する本発明の一態様に係るメニュー表示方法は、複数のコンテンツを含むメニューを表示する為のものであり、ループの軌道上に複数のコンテンツを配列し、軌道メニューとして表示する軌道メニュー表示ステップと、該軌道メニューを切り替える為の信号を検知する第一の信号検知ステップと、該信号を検知したとき、該軌道上の所定位置にあるコンテンツ及びその周辺にある少なくとも一つのコンテンツを抽出する抽出ステップと、抽出された各コンテンツを該軌道メニューとの相関を維持するように配列し、抽出メニューとして表示する抽出メニュー表示ステップとを含む。なお、このメニュー表示方法は、該軌道上のコンテンツのいずれか一つを選択する選択ステップを更に含むものであっても良く、選択されたコンテンツが該所定位置に位置するよう、該軌道上の全コンテンツをその配列順序を維持した状態で移動させることができる。また、該抽出メニューに切り替えたとき、該所定位置にあったコンテンツを最も大きく表示させることもできる。
【０００８】
また、上記メニュー表示方法は、該抽出メニューを切り替える為の信号を検知する第二の信号検知ステップを更に含むものであっても良く、該信号を検知したとき、全コンテンツを、その相関を維持した状態で該軌道メニューとして表示することができる。なお、このような場合に該軌道メニューに切り替えたとき、該抽出メニューで最も大きく表示されていたコンテンツを該所定位置に配置することもできる。
【０００９】
また、上記軌道メニュー表示ステップにおいて、該軌道を、仮想三次元空間内で三次元的に表示させても良く、或いは、仮想二次元空間内で二次元的に表示させても良い。
【００１０】
また、上記メニュー表示方法において、該ループの軌道が円軌道であっても良い。
【００１１】
また、上記メニュー表示方法において、該軌道メニューをジャンル毎に分けて表示させても良い。このとき、各ジャンルを色で区分して表示させることもできる。
【００１２】
また、上記の課題を解決する本発明の一態様に係るメニュー表示プログラムは、複数のコンテンツを含むメニューを表示する為のものであり、ループの軌道上に複数のコンテンツを配列し、軌道メニューとして表示させ、該軌道メニューを切り替える為の信号の入力に応じて、該軌道上の所定位置にあるコンテンツ及びその周辺にある少なくとも一つのコンテンツを抽出し、抽出された各コンテンツを該軌道メニューとの相関を維持するように配列し、抽出メニューとして表示させる。なお、該軌道上のコンテンツのいずれか一つを選択したことを示す信号の入力に応じて、選択されたコンテンツが該所定位置に位置するよう、該軌道上の全コンテンツをその配列順序を維持した状態で移動させることもできる。また、該抽出メニューに切り替えたとき、該所定位置にあったコンテンツを最も大きく表示させることもできる。
【００１３】
また、上記メニュー表示プログラムは、該抽出メニューを切り替える為の信号の入力に応じて、全コンテンツを、その相関を維持した状態で該軌道メニューとして表示させることができる。なお、このような場合に該軌道メニューに切り替えたとき、該抽出メニューで最も大きく表示されていたコンテンツを該所定位置に配置することもできる。
【００１４】
また、上記メニュー表示プログラムでは、該軌道を、仮想三次元空間内で三次元的に表示させることができ、或いは、仮想二次元空間内で二次元的に表示させることができる。
【００１５】
また、上記の課題を解決する本発明の一態様に係るメニュー表示装置は、複数のコンテンツを含むメニューを表示する為のものであり、ループの軌道上に複数のコンテンツを配列し、軌道メニューとして表示する軌道メニュー表示手段と、メニューを操作する為の操作手段と、操作手段の操作による、該軌道メニューを切り替える為の信号を検知する第一の信号検知手段と、該信号を検知したとき、該軌道上の所定位置にあるコンテンツ及びその周辺にある少なくとも一つのコンテンツを抽出する抽出手段と、抽出された各コンテンツを該軌道メニューとの相関を維持するように配列し、抽出メニューとして表示する抽出メニュー表示手段とを備えている。
【００１６】
なお、操作手段の操作によって該軌道上のコンテンツのいずれか一つが選択されたとき、上記軌道メニュー表示手段が、該軌道上の全コンテンツがその配列順序を維持した状態で移動して、選択されたコンテンツが該所定位置に位置するよう描画処理し得る。
【００１７】
また、該抽出メニューに切り替えたとき、上記抽出メニュー表示手段が、該所定位置にあったコンテンツを最も大きく表示させるよう描画処理し得る。
【００１８】
上記メニュー表示装置は、操作手段の操作による、該抽出メニューを切り替える為の信号を検知する第二の信号検知手段を更に備えたものであっても良く、該信号を検知したとき、上記軌道メニュー表示手段が、全コンテンツを、その相関を維持した状態で該軌道メニューとして描画し得る。ここで、該軌道メニューに切り替えたとき、上記軌道メニュー表示手段が、該抽出メニューで最も大きく表示されていたコンテンツを該所定位置に位置させるよう描画処理し得る。
【００１９】
上記軌道メニュー表示手段は、該軌道を、仮想三次元空間内で三次元的に表示させることができ、或いは、仮想二次元空間内で二次元的に表示させることができる。
【発明の効果】
【００２０】
本発明のメニュー表示方法、メニュー表示プログラム、及び、メニュー表示装置を採用すると、その相関を容易に把握させることができるメニューと、その一部を抽出したメニューとを、相関を維持した状態で切り替えることができる。従って、ユーザは、メニューに含まれる数多くのコンテンツの相関を容易に把握できると共に、選択したコンテンツを高い視認性で見ることができる。
【発明を実施するための最良の形態】
【００２１】
以下に、図面を参照して、本発明の実施の形態のメニュー表示装置を備えた車載器の構成及び作用について説明する。
【００２２】
図１は、本実施形態の車載器１００の構成を示したブロック図である。車載器１００は、例えばナビゲーションを実行したりラジオ／テレビ放送を再生したりする機能を有し、制御部１、ＧＰＳ（Global Positioning System）レシーバ２、ジャイロセンサ３、車速センサ４、記録媒体処理部５、画像処理部６、表示部７、ＲＯＭ（Read Only Memory）８、ＤＲＡＭ（Dynamic Random Access Memory）９、ＳＲＡＭ（Static Random Access Memory）１０、ＶＲＡＭ（Video Random Access Memory）１１、ＦＭ信号処理部１２、ビーコン処理部１３、入力部１４、及び、音声認識部１５を具備する。
【００２３】
制御部１は、車載器１００全体を統括的に制御する。また、ＧＰＳレシーバ２は、ＧＰＳ用人工衛星から発信された、位置情報を取得する為のＧＰＳ信号を受信して制御部１に出力する。また、ジャイロセンサ３は、車載器１００を搭載した車両の角速度を計測し、その計測結果を制御部１に出力する。また、車速センサ４は、当該車両の左右の駆動輪の回転速度を検出してその平均速度に応じた車速パルス信号を生成して制御部１に出力する。また、記録媒体処理部５は、例えばＣＤ（Compact Disc）やＤＶＤ（Digital Versatile Disk）が収納され、或いは、ＨＤ（Hard Disk）を内蔵したものであり、これらの記録媒体に記録されたデータを読み取る機能を有する。本実施形態では、このような記録媒体には、例えば車載器１００がナビゲーションを行う為に必要なデジタル地図データが記録されている。
【００２４】
制御部１は、ＧＰＳレシーバ２から出力される信号に基づいて測位演算を行う。また、ジャイロセンサ３と車速センサ４から出力される信号に基づいてデッドレコニング（以下、ＤＲと略記）を行う（すなわち車両の向き或いは進行方向及び距離を演算する）。そして演算されたＤＲ測位結果及びＧＰＳ測位結果（別の言い方をすると車両の現在位置及び進行方向）に基づいて記録媒体処理部５を作動させ、現在位置周辺のデジタル地図データを抽出し、画像処理部６に出力する。画像処理部６は、それをＤ／Ａ変換し、変換された地図データと共に車両の現在位置を示す自車マークを重畳して出力する。この出力信号が表示部７に入力すると、例えば表示部７の画面中央に自車マークが表示され、その画面全体に当該車両周辺の地図が表示される。
【００２５】
ＲＯＭ８は、車載器１００起動時に制御部１によってアクセスされるものであり、当該制御部１が実行するプログラムやその他の各種データ等を記憶している。また、ＤＲＡＭ９やＳＲＡＭ１０は、記録媒体処理部５やＲＯＭ８からロードされたプログラムやデータを、高速処理の為、一時的に読み書き自由に格納する。なお、ＳＲＡＭ１０は、電源オフ時にバッテリバックアップされており、そのメモリ内容を保持することができる。また、ＶＲＡＭ１１は、表示部７に表示される内容を保持することができる。
【００２６】
ＦＭ信号処理部１２は、例えばＦＭ多重放送を受信し、その受信信号の中から所望の信号を抽出して処理する装置である。また、ビーコン処理部１３は、例えば幹線道路に設置された光ビーコンや、高速道路に設置された電波ビーコンから発信される信号を受信して処理する装置である。ＦＭ信号処理部１２やビーコン処理部１３で受信される信号は、例えば、道路交通情報通信システムセンターが配信する道路交通情報（ＶＩＣＳ（Vehicle Information and Communication System）信号）である。
【００２７】
本実施形態では、表示部７は、例えば感圧式又は静電式等の周知のタッチ・パネルであり、入力手段を兼ねている。入力部１４は車載器１００前面に配列されたメカニカル・ボタン等であり、例えば電源スイッチはこれに含まれる。入力部１４が操作されるとそれに応じた信号が制御部に入力し、制御部１にて所定の処理が実行される。また、音声認識部１５も入力手段の一種であり、マイク（不図示）に入力された音声を認識し、その認識内容に応じた信号を制御部１に出力する。なお、音声認識部１５で操作可能な内容は、全て、入力部１４でも操作可能である。
【００２８】
図２は、本実施形態の画像処理部６によって生成され、表示部７に表示されるメニュー画面を示した図である。図２（ａ）に示された画面は、例えば、車載器１００起動時や、当該メニュー画面を表示させるよう各種入力手段（タッチ・パネルや、入力部１４、音声認識部１５）を操作したときに、画像処理部６によって生成されて表示部７に表示されるものである。なお、ここで表示されるメニューに含まれるコンテンツは、例えば製品出荷段階で予め設定されたものであっても良く、又は、ユーザが各種入力手段を操作して任意に設定するものであっても良い。
【００２９】
図２（ａ）の画面が表示される場合、画像処理部６は、表示部７の画面の中央に、「ナビ」、「オーディオ」、「外部取り込み」、「情報」という文字が付された矩形のマーク（以下、「ナビ」マーク、「オーディオ」マーク、「外部取り込み」マーク、「情報」マークと略記）を描画する。「ナビ」マークは、ナビゲーション（例えば地図データに対応した登録地点やＶＩＣＳの情報等）に関するコンテンツを表示させる為のものである。また、「オーディオ」マークは、音声や映像（イコライザー設定やお気に入りとして設定された曲、プリセットされたラジオ／テレビ放送局等）に関するコンテンツを表示させる為のものである。また、「外部取り込み」マークは、外部から取り込んだデータに関するコンテンツを表示させる為のものである。また、「情報」マークは、ユーザの個人情報（例えばユーザ名や住所、連絡先等であり、タッチ・パネルや入力部１４の操作により入力されるもの）を始めとする種々の情報に関するコンテンツを表示させる為のものである。ここでは「ナビ」マークが選択されており、それを示す為、「ナビ」マークのみが黒く塗り潰されたように表示され、他のマークは白抜きで表示されている。
【００３０】
また、画像処理部６は、上記マークの周囲に相関図３０を描画する。相関図３０は、三次元仮想空間内に配置された所定幅の帯を有する円であり、表示部７の画面と平行な面に対してその奥行き方向に所定角度傾斜されたものである。この為、画面手前側（画面下側）の帯は太く表示され、画面奥側（画面上側）の帯は細く表示されている。また、相関図３０は、所定の操作に応じて、その中心軸（不図示）について回転することができる。
【００３１】
また、相関図３０上には、「Ａ」〜「Ｔ」の文字が付された矩形のマークのコンテンツ（以下、コンテンツ「Ａ」、コンテンツ「Ｂ」、コンテンツ「Ｃ」・・・コンテンツ「Ｔ」と略記）が２０個配列されている。ここでは「ナビ」マークが選択されている為、これら２０個のコンテンツは、ナビゲーションに関するものとなっている。これらのコンテンツは、相関図３０上に固定された状態で配列されている為、相関図３０と共に回転し得る。なお、黒丸３１は、現在選択中のコンテンツを示す為のものであり、図２（ａ）ではコンテンツ「Ａ」の横に表示されている。従って、ここではコンテンツ「Ａ」が選択されていることになる。また、黒丸３１の横に表示された選択コンテンツを始点として時計回りに配列されている四つのコンテンツ（ここではコンテンツ「Ａ」〜「Ｄ」）は、後述の図２（ｂ）のメニュー画面で表示されるコンテンツであり、それを示す為、それら四つのコンテンツの矩形マークは斜線で表示され、それ以外のコンテンツの矩形マークは白抜きで表示される。なお、「Ａ」〜「Ｔ」の文字は、それぞれ対応するコンテンツの内容を示すものであり、実際にはこれらよりも長い文字列であり得る。
【００３２】
なお、相関図３０で表示されるコンテンツ数は、２０個に限らず、それ以上であっても良い。また、相関図３０の形状は、円形に限らず、例えば多角形や楕円形等の他の切れ目のない形状であっても良い。表示画面サイズ及び形状に応じて、最も効率良く（すなわち良好な視認性を保ちつつ最も数多く）コンテンツを配列できる形状が最も望ましい。このように三次元的なループの軌道上に各コンテンツを配列すると、一画面中に多くのコンテンツを表示できると共に、ユーザは、各コンテンツの相関を視覚的に且つ感覚的に把握することができる。
【００３３】
また、画像処理部６は、画面左端に、メニュー画面の視点を切り替える為の視点切り替えアイコンＶ１を描画する。視点切り替えアイコンＶ１が操作されると、表示部７の画面は、図２（ａ）のものから図２（ｂ）のものに切り替わる。
【００３４】
ユーザは、上述した各マーク、各コンテンツ、アイコン等を指で直接タッチするか、スタイラスペン（不図示）を用いてタッチするか、若しくは、入力部１４を操作したり音声認識部１５を使用して音声入力したりすることにより、当該メニュー画面を操作することができる。
【００３５】
図３は、メニュー画面を操作したときに実行されるメニュー表示処理を示したフローチャートである。上述したように車載器１００の起動やメニュー画面を表示させる為の操作が行われると、画像処理部６は、図２（ａ）に示されたメニュー画面を描画し、表示部７に表示させる（ステップ１、以下、ステップを「Ｓ」と略記）。なお、本実施形態のメニュー表示処理は、車載器１００の電源をオフしたとき、或いは、車載器１００の他の機能（例えばナビゲーション機能）の作動させたときに終了する。本実施形態では、メニュー画面立ち上げ時において「ナビ」マークに対応するものを表示するよう設定している。しかしながらどのマークに対応するメニュー画面を立ち上げ時に表示させるかはユーザが好みに応じて任意に設定することができる。
【００３６】
ここで、例えば画面中央のいずれかのマークをユーザがタッチすると（Ｓ２：マーク）、記録媒体処理部５のＨＤやＲＯＭ８等が読み込まれ、画像処理部６は、それに対応したコンテンツを配列したメニュー画面を描画する（Ｓ３）。
【００３７】
また、例えばユーザがいずれかのコンテンツをタッチすると（Ｓ２：コンテンツ）、画像処理部６は、タッチされたコンテンツが黒丸３１の横に位置するよう、相関図３０をその中心軸について回転させるよう描画処理する（Ｓ４）。なお、このときの回転方向は、回転角度が小さくなるものが適宜選択される。例えば図２（ａ）の状態でユーザがコンテンツ「Ｐ」をタッチした場合、画像処理部６は、相関図３０を時計回りに回転させるよう描画処理する。また、コンテンツ「Ｅ」をタッチした場合、相関図３０を反時計回りに回転させるよう描画処理する。両回転方向の回転角度が等しくなる場合、例えば時計回りが優先的に選択される。
【００３８】
なお、選択コンテンツ（黒丸３１横のコンテンツ）をタッチする等の所定の動作を行うと、制御部１は、当該コンテンツに対応した処理を実行する。例えば図２（ａ）においてコンテンツ「Ａ」が登録地点の情報であり、ユーザによって当該コンテンツ「Ａ」がタッチされた場合、制御部１は、記録媒体処理部５を参照して適切な地図データを読み出し、画像処理部６を制御してその登録地点を中心とした周辺地図等を表示部７に表示させたり、ＧＰＳ信号に基づく車両現在位置から当該登録地点までのナビゲーション用のルート計算を実行したりする。
【００３９】
また、例えばユーザが視点切り替えアイコンＶ１をタッチすると（Ｓ２：Ｖ１）、画像処理部６は、図２（ａ）に示された画面の各コンテンツの相関を維持した画像であって、選択コンテンツを始点として時計回りに配列されている四つのコンテンツ（ここでは図２（ａ）においてその矩形マークが斜線で示されたコンテンツ「Ａ」〜「Ｄ」）を相関図３０から抽出したような画像を描画する（Ｓ５、図２（ｂ）参照）。より具体的には、選択コンテンツを最前面に配置し、残りの三つのコンテンツを、相関図３０における相関を維持した状態で（すなわち時計回り順に）その背面に順次配列した画像を描画する。なお、視点切り替え後に表示されるコンテンツ数は、四つに限らず、仕様や設定に応じて適宜変更され得る。
【００４０】
図２（ｂ）に示された切り替え後のメニュー画面では、表示コンテンツが四つである為、図２（ａ）のものと比較して個々のコンテンツを大きく表示することができる。また、図２（ａ）のメニュー画面では斜め上からの視点（別の言い方をすると、各コンテンツが互いに重ならないように表示される視点）で相関図３０を表示しているのに対して、図２（ｂ）のメニュー画面は、個々のコンテンツをより大きく表示させる為、各コンテンツが配列されている平面（図２（ａ）における相関図３０上の平面）と略平行な或いは僅かに角度を成す視点（別の言い方をすると、一部のコンテンツが重なるように表示される視点）で表示される。このように図２（ｂ）のメニュー画面では、選択コンテンツとその周辺コンテンツの各々が大きく表示される為、その視認性が極めて高い。この画面において四つのコンテンツのいずれかをタッチする等の所定の動作を行うと、制御部１は、上述と同様に、当該コンテンツに対応した処理を実行する。
【００４１】
なお、図２（ｂ）のメニュー画面には、四つのコンテンツの他に、選択アイコンＳ１及びＳ２と、視点切り替えアイコンＶ２が表示される。ここで、例えば選択アイコンＳ１をユーザがタッチすると（Ｓ６：Ｓ１）、画像処理部６は、各コンテンツを反時計回りに回転させるよう描画処理する（Ｓ７）。具体的には、選択コンテンツを画面外に移動させ（すなわち当該選択コンテンツを消去し）、選択コンテンツの背面に表示されていた三つのコンテンツをそれぞれ一段階前面に移動させると共に、当該三コンテンツの中で最も背面に配置されていたコンテンツ（以下、最背面コンテンツと略記、なお、図２（ｂ）ではコンテンツ「Ｄ」）の更に背面側に隣接し得るコンテンツ（図２（ｂ）の状態ではコンテンツ「Ｅ」が該当）を、当該最背面コンテンツの背面に表示させるよう描画処理する。例えば図２（ｂ）の状態で選択アイコンＳ１が操作された場合、最前面からコンテンツ「Ｂ」、コンテンツ「Ｃ」、コンテンツ「Ｄ」、コンテンツ「Ｅ」が順に表示される。
【００４２】
また、例えば選択アイコンＳ２をユーザがタッチすると（Ｓ６：Ｓ２）、画像処理部６は、各コンテンツを時計回りに回転させるよう描画処理する（Ｓ８）。具体的には、最背面コンテンツを画面外に移動させ（すなわち当該最背面コンテンツを消去し）、それ以外の三つのコンテンツをそれぞれ一段階背面に移動させると共に、選択コンテンツの前面側に隣接し得るコンテンツ（図２（ｂ）の状態ではコンテンツ「Ｔ」が該当）を、最前面に表示させるよう描画処理する。例えば図２（ｂ）の状態で選択アイコンＳ２が操作された場合、最前面からコンテンツ「Ｔ」、コンテンツ「Ａ」、コンテンツ「Ｂ」、コンテンツ「Ｃ」が順に表示される。
【００４３】
また、例えば視点切り替えアイコンＶ２をユーザがタッチすると（Ｓ６：Ｖ２）、画像処理部６は、図２（ａ）に示された相関図３０のメニュー画面に切り替わるよう描画処理する（Ｓ９）。なお、このとき、図２（ａ）と図２（ｂ）とのメニュー画面間において各コンテンツの相関を維持する為、画面切り替え時において黒丸３１横のコンテンツと最前面のコンテンツとが常に一致するよう描画される。例えば図２（ｂ）の如きメニュー画面において最前面がコンテンツ「Ｆ」であるときに視点切り替えアイコンＶ２を操作すると、黒丸３１横にコンテンツ「Ｆ」が位置する相関図３０が表示される。また、例えば図２（ａ）の如きメニュー画面において黒丸３１横にコンテンツ「Ｊ」が位置するときに視点切り替えアイコンＶ１を操作すると、最前面がコンテンツ「Ｊ」であるメニュー画面が表示される。
【００４４】
以上が本発明の実施形態である。本発明はこれらの実施形態に限定されるものではなく様々な範囲で変形が可能である。
【００４５】
図４は、本発明の別の実施の形態のメニュー画面を示した図である。この実施形態では、本実施形態において「ナビ」、「オーディオ」、「外部取り込み」、「情報」等に区分されていた全ジャンルを、それぞれ異なる色で区分した状態で、相関図４０によって一画面に表示させている。なお、図４のメニュー画面には例えば視点切り替えアイコンがなく、代替的に、相関図４０のいずれかの箇所をユーザがタッチすると、画像処理部６が、その箇所に応じた図２（ｂ）の如きメニュー画面を描画する。例えば図４の箇所Ｘにコンテンツ「Ｋ」が位置する場合に当該箇所Ｘをタッチすると、例えば最前面からコンテンツ「Ｋ」、コンテンツ「Ｌ」、コンテンツ「Ｍ」、コンテンツ「Ｎ」が順に配列されたメニュー画面が表示される。相関図４０は非常に多くのコンテンツを一画面で表示している為、コンテンツ名等の識別情報を表示していない。しかしながら図２（ｂ）の如きメニュー画面は相関図４０におけるコンテンツの配列と同一の相関を有する為、ユーザは、これら両画面の切り替え作業を繰り返すうちに、相関図４０における各コンテンツの相関を視覚的に且つ感覚的に認識できるようになる。
【００４６】
また、図５は、本発明の更に別の実施の形態のメニュー画面を示した図である。この実施形態では、本実施形態の相関図３０と異なる配列方法を採用した相関図５０が表示される。相関図５０は、三次元仮想空間内において、表示部７の水平方向に沿った軸（不図示）を中心に円状に配列されて回転し得る複数の矩形のコンテンツ・パネルから成る。なお、画面左下には視点切り替えアイコンＶ３が表示されている。ユーザがこれをタッチすると、黒丸３１横のコンテンツ・パネルを最前面とした図２（ｂ）の如きメニュー画面が表示される。また、画面右端には操作アイコン５２が表示されている。ユーザがこれを矢印Ｚ１方向に指をなぞると、操作アイコン５２が当該矢印Ｚ１方向に回転すると共に、相関図５０が矢印Ｚ２方向に上記軸中心に回転する。また、ユーザが操作アイコン５２を矢印Ｚ３方向に指をなぞると、当該操作アイコン５２が当該矢印Ｚ３方向に回転すると共に、相関図５０が矢印Ｚ４方向に上記軸中心に回転する。
【００４７】
図４と図５の実施の形態においても本実施形態と同様に選択コンテンツが大きく表示される為、良好な視認性が保たれたまま、ユーザは、各コンテンツの相関を視覚的に且つ感覚的に掴むことができる。
【図面の簡単な説明】
【００４８】
【図１】本発明の実施の形態の車載器の構成を示したブロック図である。
【図２】本発明の実施の形態のメニュー画面を示した図である。
【図３】本発明の実施の形態のメニュー画面を操作したときに実行されるメニュー表示処理を示したフローチャートである。
【図４】本発明の別の実施の形態のメニュー画面を示した図である。
【図５】本発明の更に別の実施の形態のメニュー画面を示した図である。
【符号の説明】
【００４９】
１  制御部
２  ＧＰＳレシーバ
３  ジャイロセンサ
４  車速センサ
５  記録媒体処理部
６  画像処理部
７  表示部
８  ＲＯＭ
９  ＤＲＡＭ
１０  ＳＲＡＭ
１１  ＶＲＡＭ
１２  ＦＭ信号処理部
１３  ビーコン処理部
１４  入力部
１５  音声認識部
１００  車載器
【図１】
2006260265.tif 000003
【図２】
2006260265.tif 000004
【図３】
2006260265.tif 000005
【図４】
2006260265.tif 000006
【図５】
2006260265.tif 000007